【事件の表示】
　平成　３年特許願第１３６１６８号「情報処理装置及びポインティングデバイスの操作環境設定方法」拒絶査定不服審判事件〔平成　４年１２月１４日出願公開、特開平　４−３６０２２３〕について、次のとおり審決する。
【結　論】
　本件審判の請求は、成り立たない。
【理　由】
【１】本願発明
　本願は、平成3年6月7日に特許出願されたものであって、その請求項1乃至3に係る発明は、平成12年10月27日付け及び平成13年8月3日付け手続補正書により補正された明細書の特許請求の範囲に記載された「情報処理装置及びポインティングデバイスの操作環境設定方法」であって、当該請求項1に係る発明（以下「本願発明」という。）は、次のとおりのものである。
「【請求項1】　ポインティングデバイスを入力手段に用いる情報処理装置であって、
　ポインティングデバイスの操作設定値を設定するための表示領域を表示させる表示制御手段と、
　ポインティングデバイスの操作設定値を記憶する記憶手段と、
　ポインティングデバイスが前記表示制御手段による表示領域に入ったことを受けて計測開始待機状態とし、当該表示領域でなされたポインティングデバイスの実際の操作を計測した値に基づいて当該操作の操作設定値を求め、求めた操作設定値を前記記憶手段に記憶させる制御手段と、を有することを特徴とする情報処理装置。」
　
【２】引用刊行物
（１）原査定の拒絶の理由に引用された「ASCII」Vol.15，No.3，P.238［平成3年3月(株)アスキー発行］（以下「引用例1」という。）には、「ユーティリティ」とその説明図面である「画面1」に係わる記載を参酌すると、以下のとおりの技術的事項が記載されていると認められる。
（1-1）「アプリケーションの起動や登録方法が分かったところで、Windows3の利用環境を整えるために付属するユーティリティやWindows自身が持つ便利な機能を紹介しよう。
　　コントロールパネル
　Windows自身の細かい指定や周辺機器の設定を行なうのが、このコントロールパネルというアプリケーションである。
　通常の方法でインストールしてあれば、プログラムマネージャのMainというグループに入っているので起動してみよう。すると、またまたアイコンが並んだ画面が現われる。ただし、これは通常のアイコンと異なり、移動することはできない。単なるグラフィカルなメニューである（画面1）。」（第238頁左欄1〜16行）
（1-2）「マウス
　マウスの速度やダブルクリックの間隔が指定できる。また、マウスボタンの左右の切り替えができるので、左利きの人も人差し指でクリックできる。」（第238頁中央欄20行〜右欄2行）
（1-3）第238頁の図面「画面1」における右上の指定ウインドウ（マウス）
　このウインドウ画面によれば、「マウスの速さ(M)」及び「ダブルクリックの速さ(D)」について、その指定領域のバーを適宜操作することにより、その速さを設定登録するものが記載されている。
　以上の記載及びWindows3等のコンピュータ技術に係わる当業者の技術常識によれば、この引用例1には以下のような発明が記載されているものと認められる。
「マウスを入力手段に用いる情報処理装置であって、
　マウスの操作設定値を設定するための表示領域を表示させる表示制御手段と、
　マウスの操作設定値を記憶する記憶手段と、
　マウスが前記表示制御手段による表示領域に入ったことを受けて、当該表示領域でなされたマウスでのバー操作に基づいた操作設定値を前記記憶手段に記憶させる制御手段と、を有する情報処理装置。」
（２）同じく引用された特開昭62-226318号公報（以下「引用例2」という。）は、「入力装置」、特にクリック動作時間およびクリック間隔時間に関するもので、その実施例及び図面（第1〜3図）の記載を参酌すると、この引用例2には、マウスなどのポインティングデバイスを入力装置に用いる情報処理装置において、ポインティングデバイスの実際の操作時に「計測開始待機状態とし、表示領域でなされたポインティングデバイスの実際の操作を計測した値に基づいて確率頻度の演算を行い、当該操作の操作設定値を求め、求めた操作設定値を記憶手段に記憶させる制御手段」を備える技術的事項が記載されており、さらに、ポインティングデバイスの実際の操作時に「実際の操作を計測した値に基づいて、当該操作の操作設定値を求め」る技術的事項も開示されている。
　
【３】対比・判断
　本願発明と上記引用例1に記載された発明とを対比すると、引用例1における「マウス」は、操作設定値により該マウスの操作環境が設定されるものであり、本願発明における「ポインティングデバイス」に相当するものと認められる。
　したがって、両者は、以下のとおりの一致点及び相違点を有するものである。
（一致点）
「ポインティングデバイスを入力手段に用いる情報処理装置であって、
　ポインティングデバイスの操作設定値を設定するための表示領域を表示させる表示制御手段と、
　ポインティングデバイスの操作設定値を記憶する記憶手段と、
　ポインティングデバイスが前記表示制御手段による表示領域に入ったことを受けて、ポインティングデバイスの操作に基づいた操作設定値を前記記憶手段に記憶させる制御手段と、を有する情報処理装置。」
（相違点）
　操作設定値を記憶手段に記憶させる制御手段が、本願発明にあっては、「ポインティングデバイスが表示制御手段による表示領域に入ったことを受けて計測開始待機状態とし、当該表示領域でなされたポインティングデバイスの実際の操作を計測した値に基づいて当該操作の操作設定値を求め、求めた操作設定値を前記記憶手段に記憶させる」ものであるのに対して、引用例1にあっては、「マウス（ポインティングデバイス）が表示制御手段による表示領域に入ったことを受けて、当該表示領域でなされたマウス（ポインティングデバイス）でのバー操作に基づいた操作設定値を記憶手段に記憶させる」ものである点　
（検討）
　前記相違点について検討すると、本願発明において、「ポインティングデバイスが表示制御手段による表示領域に入ったことを受けて計測開始待機状態とし、当該表示領域でなされたポインティングデバイスの実際の操作を計測した値に基づいて当該操作の操作設定値を求め」と規定し、殊に「表示領域でなされたポインティングデバイスの実際の操作を計測した値に基づいて」定めることの技術的意義は、本願明細書の記載を参酌しても明確ではないものの、当該明細書には「上記従来の方法においては、ユーザが自分にあったマウスの操作環境を設定するためには何度も“設定変更”と“テスト”を繰り返し行いながら調整する必要があり、ユーザにとって手間がかかりユーザの負担となる問題点、および、設定値の数に限度があるため、設定値と設定値の間の微妙な設定ができない問題点があった。」（段落【0005】）、「ポインティングデバイスの操作設定値を操作者が変更したいとき、操作者はどの実際の操作で操作設定値が変更されるのかを把握でき、一度の設定操作で確実に操作者にとって最適なポインティングデバイスの操作設定値を得ることができ」る（段落【0008】【0018】）と記載しているように、要は、「手間がかからない」「最適なポインティングデバイスの操作設定値を得る」点にあるものと認められる。
　しかしながら、前記引用例1においても、マウス（ポインティングデバイス）が表示制御手段による表示領域に入って設定値のバーを操作し、その操作に基づいて操作設定値を決定するものであって、この設定値のバーの操作時は、設定値の設定・変更が可能な待機状態になっているものあり、また、当該表示領域でなされたポインティングデバイスによる実際のバーの操作設定に基づいてマウス（ポインティングデバイス）の操作の操作設定値となすものであって、本願発明と同様に「ポインティングデバイスの操作設定値を得る」ものである。そして、マウス（ポインティングデバイス）で
実際に操作する
　したがって、ポインティングデバイスの操作設定値を設定することについて、本願発明のように構成することは、前記引用例1、2に記載された技術的事項を参酌して当業者が容易になし得ることと認められる。
　また、本願発明により奏する作用効果も、当業者が予測し得る程度のものであって格別のものとは認められない。
　
【４】むすび
　以上のとおりであって、本願の請求項1に係る発明は、上記引用例1乃至2に記載された発明及び周知の技術的事項に基づいて当業者が容易に発明をすることができたものと認められるので、特許法第29条第2項の規定により特許を受けることができない。
　したがって、本願は、その余の請求項について論及するまでもなく、拒絶すべきものである。
　よって、結論のとおり審決する。